(57)【特許請求の範囲】
【請求項１】
電源スイッチ(5)オン後にリレー(1)のコイル(3)に電源(4)を通電し、前記リレー(1)の接点(2)のノーマルクローズ接点(NC)をオンとし、前記ノーマルクローズ接点(NC)に接続された負荷に給電するようにしたリレー駆動方法において、
前記接点(2)のノーマルオープン接点(NO)がゲート(G)に接続され、前記電源(4)がドレイン(D)に接続され、前記コイル(3)及び前記電源スイッチ(5)がソース(S)に接続されたスイッチングトランジスタ(11)と、前記ドレイン(D)と前記ソース(S)との間に接続された抵抗(12)とを備えたリレー駆動回路を用い、
前記リレー(1)オン前は、前記ドレイン(D)に電圧を供給して、前記スイッチングトランジスタ(11)によって前記抵抗(12)を短絡し、
前記リレー(1)オン後は、前記ドレイン(D)への電圧の供給を停止して、前記抵抗(12)を介して前記コイル(3)に対して前記電源(4)よりも低いレベルの電圧を供給して前記接点(2)のオン状態を維持することを特徴とするリレー駆動方法。
【請求項２】
電源スイッチ(5)オン後にリレー(1)のコイル(3)に電源(4)を通電し、前記リレー(1)の接点(2)のノーマルクローズ接点(NC)をオンとし、前記ノーマルクローズ接点(NC)に接続された負荷に給電するようにしたリレー駆動回路において、
前記接点(2)のノーマルオープン接点(NO)がゲート(G)に接続され、前記電源(4)がドレイン(D)に接続され、前記コイル(3)及び前記電源スイッチ(5)がソース(S)に接続されたスイッチングトランジスタ(11)と、
前記ドレイン(D)と前記ソース(S)との間に接続された抵抗(12)と
を備え、
前記リレー(1)オン前は、前記ドレイン(D)に電圧が供給されて、前記スイッチングトランジスタ(11)によって前記抵抗(12)が短絡され、
前記リレー(1)オン後は、前記ドレイン(D)への電圧の供給が停止されて、前記抵抗(12)を介して前記コイル(3)に対して前記電源(4)よりも低いレベルの電圧を供給して前記接点(2)のオン状態を維持する構成としたことを特徴とするリレー駆動回路。
【発明の詳細な説明】
【０００１】
【発明の属する技術分野】
本発明は、リレー駆動方法及び回路に関し、特に、電源を通電してリレーの接点をオン後は、電源よりも低い電圧をコイルに給電して接点のオン状態を維持すると共に、リレーの発熱を抑え、リレーの信頼性及び寿命を向上させるための新規な改良に関する。
【０００２】
【従来の技術】
従来、用いられていたこの種のリレー駆動方法としては、例えば、図２に示される構成が採用されていた。
すなわち、図２において符号１で示されるものはリレーであり、このリレー１は、ノーマルオープン接点ＮＯとノーマルクローズ接点ＮＣとからなる接点２と、この接点２をオン・オフするためのコイル３とから構成されている。
【０００３】
前記接点２及びコイル３の一端３ａは２８Ｖの電源４に接続され、このコイル３の他端３ｂは電源スイッチ５を介してアース６に接続されている。従って、電源スイッチ５をオンとすると、２８Ｖの電源４がコイル３に通電されて、接点２のノーマルクローズ接点ＮＣがオンとなり、負荷側に電源４が給電され、接点２をオンとして継続する場合は、コイル３に電源４の給電を継続させていた。
【０００４】
【発明が解決しようとする課題】
従来のリレー駆動方法は、以上のように構成されていたため、次のような課題が存在していた。
すなわち、接点のオンを継続するためには、コイルに対して電源を給電し続けなければならず、コイルの発熱によるリレーの劣化が激しく、リレー自体の寿命が短くなることになっていた。
【０００５】
本発明は、以上のような課題を解決するためになされたもので、特に、電源を通電してリレーの接点をオン後は、電源よりも低い電圧をコイルに給電して接点のオン状態を維持すると共に、リレーの発熱を抑え、リレーの信頼性及び寿命を向上させるようにしたリレー駆動方法及び回路を提供することを目的とする。
【０００６】
【課題を解決するための手段】
本発明によるリレー駆動方法は、電源スイッチオン後にリレーのコイルに電源を通電し、前記リレーの接点のノーマルクローズ接点をオンとし、前記ノーマルクローズ接点に接続された負荷に給電するようにしたリレー駆動方法において、前記接点のノーマルオープン接点がゲートに接続され、前記電源がドレインに接続され、前記コイル及び前記電源スイッチがソースに接続されたスイッチングトランジスタと、前記ドレインと前記ソースとの間に接続された抵抗とを備えたリレー駆動回路を用い、前記リレーオン前は、前記ドレインに電圧を供給して、前記スイッチングトランジスタによって前記抵抗を短絡し、前記リレーオン後は、前記ドレインへの電圧の供給を停止して、前記抵抗を介して前記コイルに対して前記電源よりも低いレベルの電圧を供給して前記接点のオン状態を維持する方法である。
また、本発明によるリレー駆動回路は、電源スイッチオン後にリレーのコイルに電源を通電し、前記リレーの接点のノーマルクローズ接点をオンとし、前記ノーマルクローズ接点に接続された負荷に給電するようにしたリレー駆動回路において、前記接点のノーマルオープン接点がゲートに接続され、前記電源がドレインに接続され、前記コイル及び前記電源スイッチがソースに接続されたスイッチングトランジスタと、前記ドレインと前記ソースとの間に接続された抵抗とを備え、前記リレーオン前は、前記ドレインに電圧が供給されて、前記スイッチングトランジスタによって前記抵抗が短絡され、前記リレーオン後は、前記ドレインへの電圧の供給が停止されて、前記抵抗を介して前記コイルに対して前記電源よりも低いレベルの電圧を供給して前記接点のオン状態を維持する構成である。
【０００７】
【発明の実施の形態】
以下、図面と共に本発明によるリレー駆動方法及び回路の好適な実施の形態について説明する。なお、従来例と同一又は同等部分には同一符号を付して説明する。
図１において符号１で示されるものはリレーであり、このリレー１は、ノーマルオープン接点ＮＯとノーマルクローズ接点ＮＣとからなる接点２と、この接点２をオン・オフするためのコイル３とから構成されている。
【０００８】
前記接点２のコモン端子１０には、２８Ｖの電源４が接続され、この電源４及びノーマルオープン接点ＮＯにはＦＥＴトランジスタからなるスイッチングトランジスタ１１のゲートＧが接続され、このスイッチングトランジスタ１１のソースＳにはコイル３の一端３ａが接続されると共に、この一端３ａと電源４及びドレインＤとの間には３９０Ωの抵抗１２が接続されている。
【０００９】
前記コイル３にはダイオード１３が並列に設けられ、このコイル３の他端３ｂとゲートＧには、ダイオード１４を介してアース６との間に電源スイッチ５が接続されている。
【００１０】
次に、動作について述べる。まず、図１の状態で、電源スイッチ５をオンとすると、スイッチングトランジスタ１１のゲートＧにゲート電圧ＶＧが印加され、ソースＳにソース電流ＩＳが約１００ｍＡ流れ、コイル３に２８Ｖの電源４が給電されて接点２がＮＯからＮＣに切換わってリレー１がオンとなり、負荷（図示せず）に２８Ｖの電源４が供給される。
【００１１】
前記コイル３に給電されると同時に、電源電圧が低下するためスイッチングトランジスタ１１はスレッショルド以下となってオフとなり、コイル３への給電がオフとなるところであるが、電源４とコイル３の一端３ａとの間には３９０Ωの抵抗が入っているため、電源４の２８Ｖが降下されて約１２Ｖとなってコイル３に給電され続ける。この１２Ｖの給電により、接点２はオンが継続され続けることとなり、接点２がオンされた時の電圧レベルよりもはるかに低い電圧レベルでコイル３が給電される。従って、リレー１がオンされる時の電圧（２８Ｖ）よりもはるかに低い電圧（１２Ｖ）でリレー１のオンが継続されるため、長時間のオン状態が継続してもコイル３の発熱が少なく、リレー１の長寿命を計ることができる。
【００１２】
【発明の効果】
本発明によるリレー駆動方法及び回路は、以上のように構成されているため、次のような効果を得ることができる。
すなわち、コイルへの通電にスイッチングトランジスタを用いて通電制御すると共に、スイッチングトランジスタオフ後は、抵抗を介してコイルに通電し、リレーオン後はこのリレーがオンを維持できる最低レベルの電圧をコイルに通電してオンを継続するため、コイルの発熱が少なく、リレーの劣化を防止して長寿命化を達成することができる。
【図面の簡単な説明】
【図１】  本発明によるリレー駆動方法を適用した回路を示す回路図である。
【図２】  従来のリレー駆動方法を示す回路図である。
【符号の説明】
１    リレー
２    接点
ＮＣ    ノーマルクローズ接点
ＮＯ    ノーマルオープン接点
３    コイル
４    電源
５    電源スイッチ
１１    スイッチングトランジスタ
Ｇ    ゲート
Ｄ    ドレイン
Ｓ    ソース
１２    抵抗
【図１】
0004127578.tif 000002
【図２】
0004127578.tif 000003